(57)【要約】【課題】  フレームの上面が平滑で、安全で外観の優れたペット用サークルを提供する。【解決手段】上フレーム３と下フレーム４と、これら上フレーム３と下フレーム４との間に取り付けられる網状体５とからなる複数のパネル２と、隣り合うパネル２を固定する固定部材６を備え、網状体５は、上フレーム３の上面から露出しないように上フレーム３の内側で固定されるとともに下フレーム４に固定され、かつ、隣り合うパネル２の上フレーム３の連結部３１同士、及び下フレーム４の連結部４１同士をそれぞれ連結した状態で、上フレーム３の上面から露出しないように上フレーム３の内側で固定部材６により隣り合うパネル２が固定されている。【選択図】図１
2007043905.tif 000002
【特許請求の範囲】
【請求項１】
複数のパネルで囲まれた内部にペットを収容するペット用サークルであって、
複数のパネルと、隣り合うパネルを固定する固定部材を備え、
前記各パネルは、上フレームと下フレームと、これら上フレームと下フレームとの間に取り付けられる網状体とからなり、
前記上フレームは、上フレーム本体と、この上フレーム本体の両端に設けられ隣り合うパネルの上フレームを互いに連結する連結部とから構成され、
前記下フレームは、下フレーム本体と、この下フレーム本体の両端に設けられ隣り合うパネルの下フレームを互いに連結する連結部とから構成され、
前記網状体は、網状体本体と、この網状体本体の上下の端縁から上下方向に突き出る上下の突出部とから構成され、
前記突出部のうち、上側の突出部は、上フレーム内に嵌め込まれて上フレームの上面から露出しないように上フレームの内側で固定されるとともに、下側の突出部は、下フレームに固定され、
前記固定部材は、隣り合うパネルの上フレームの連結部同士、及び下フレームの連結部同士をそれぞれ連結した状態で、上フレームの上面から露出しないように上フレームの内側で固定されていることを特徴とするペット用サークル。
【請求項２】
前記上フレームには、網状体の上側の突出部に対応する上嵌入部が内側に設けられるとともに、下フレームには、網状体の下側の突出部に対応する下嵌入部が設けられ、
前記上側の突出部は、上嵌入部に嵌め込まれて上フレームの上面から露出しないように上フレームの内側で固定されるとともに、下側の突出部は、下嵌入部に嵌め込まれて固定され、
前記固定部材は、一端に螺子溝が形成され他端にキャップが取り付けられた棒状体からなり、
上フレームの連結部の内側に固定部材の螺子溝に螺合する螺子溝が形成されるとともに、下フレームの連結部に固定部材を挿入する挿入孔が形成され、隣り合うパネルの上フレームの連結部同士、及び下フレームの連結部同士をそれぞれ連結した状態で、固定部材が下フレームの挿入孔から上方向に挿入され、上フレームの上面から露出しないように上フレームの内側で固定されていることを特徴とする請求項１記載のペット用サークル。
【請求項３】
前記パネルは、木製の上フレーム及び下フレームと、金属製の網状体とから構成され、固定部材は金属で構成されていることを特徴とする請求項１または２記載のペット用サークル。
【発明の詳細な説明】
【技術分野】
【０００１】
本発明は、内部に犬や猫などのペットを入れるペット用サークルに関する。
【背景技術】
【０００２】
ペット用サークルは、複数のパネルを環状に繋ぎ、これらのパネルで囲まれた内部にペットを収容するものであって、各パネルは、上フレームと下フレームと、これら上フレームと下フレームとの間に取り付けられる網状体とから構成されているものが一般的である。
【０００３】
このようなペット用サークルにおいて、網状体の縦棒群のうちに、少なくとも１本の引張り棒を備え、この引張り棒に対応する貫通孔を上下のフレームにそれぞれ形成して、この貫通孔に挿入した引張棒を嵌合ピンで係止することにより網状体を上下のフレームに取り付ける網状体支持構造を有するものが提案されている（例えば、特許文献１参照。）。
【０００４】
この支持構造を有するペット用サークルでは、隣り合うフレームは、上フレームの一端と下フレームの一端との間に配される襠付支柱により連結されている。
【特許文献１】特開２００１−２４５５４５号公報
【発明の開示】
【発明が解決しようとする課題】
【０００５】
しかしながら、上記した特許文献１に記載された支持構造を有するペット用サークルでは、網状体を取り付けるための嵌合ピン、及び隣り合うフレーム同士を連結する襠付支柱を取り付けるためのピンは、上フレームの上面から突出するように構成されている。
【０００６】
このため、人間やペットがこの突出したピンに引っ掛って怪我をするおそれがあり、また、見映えも良くないといった問題があった。
【０００７】
本発明は、このような事情に鑑み創案されたもので、フレームの上面が平滑に形成され、安全で外観の優れたペット用サークルを提供するものである。
【課題を解決するための手段】
【０００８】
上記の目的を達成するため、本発明に係るペット用サークルは、複数のパネルで囲まれた内部にペットを収容するペット用サークルであって、複数のパネルと、隣り合うパネルを固定する固定部材を備え、前記各パネルは、上フレームと下フレームと、これら上フレームと下フレームとの間に取り付けられる網状体とからなり、前記上フレームは、上フレーム本体と、この上フレーム本体の両端に設けられ隣り合うパネルの上フレームを互いに連結する連結部とから構成され、前記下フレームは、下フレーム本体と、この下フレーム本体の両端に設けられ隣り合うパネルの下フレームを互いに連結する連結部とから構成され、前記網状体は、網状体本体と、この網状体本体の上下の端縁から上下方向に突き出る上下の突出部とから構成され、前記突出部のうち、上側の突出部は、上フレーム内に嵌め込まれて上フレームの上面から露出しないように上フレームの内側で固定されるとともに、下側の突出部は、下フレームに固定され、前記固定部材は、隣り合うパネルの上フレームの連結部同士、及び下フレームの連結部同士をそれぞれ連結した状態で、上フレームの上面から露出しないように上フレームの内側で固定されていることを特徴とする。
【０００９】
この発明によれば、網状体が上フレームの上面から露出することがなく取り付けられ、かつ、隣り合うパネルが上フレームの上面から露出することがなく連結、及び固定されているので、上フレームの上面は平滑に形成されている。したがって、人間やペットがペット用サークルに引っ掛ることが防止され、安全で、外観も優れている。
【００１０】
本発明は、上記構成のペット用サークルにおいて、前記上フレームには、網状体の上側の突出部に対応する上嵌入部が内側に設けられるとともに、下フレームには、網状体の下側の突出部に対応する下嵌入部が設けられ、前記上側の突出部は、上嵌入部に嵌め込まれて上フレームの上面から露出しないように上フレームの内側で固定されるとともに、下側の突出部は、下嵌入部に嵌め込まれて固定され、前記固定部材は、一端に螺子溝が形成され他端にキャップが取り付けられた棒状体からなり、上フレームの連結部の内側に固定部材の螺子溝に螺合する螺子溝が形成されるとともに、下フレームの連結部に固定部材を挿入する挿入孔が形成され、隣り合うパネルの上フレームの連結部同士、及び下フレームの連結部同士をそれぞれ連結した状態で、固定部材が下フレームの挿入孔から上方向に挿入され、上フレームの上面から露出しないように上フレームの内側で固定されていることを特徴とする。
【００１１】
この発明によれば、網状体の上側の突出部が、上嵌入部に嵌め込まれて上フレームの上面から露出しないように上フレームの内側で固定されているので、上フレームの上面から突出部が露出することがない。
【００１２】
また、固定部材が下フレームの挿入孔から挿入され、上フレームの上面から露出しないように上フレームの内側で固定されているので、上フレームの上面から固定部材が露出することがない。
【００１３】
したがって、上フレームは平滑に形成されるので、人間やペットがペット用サークルに引っ掛ることが防止され、安全で、外観も優れている。
【００１４】
本発明は、上記構成のペット用サークルにおいて、前記パネルは、木製の上フレーム及び下フレームと、金属製の網状体とから構成され、固定部材は金属で構成されていることを特徴とする。
【００１５】
この発明によれば、上フレーム及び下フレームが木製であるから、室内のインテリアに調和し、外観に優れたものとなる。また、網状体及び固定部材が金属製であるから、丈夫で安全性が高い。
【発明の効果】
【００１６】
本発明によれば、フレームの上面が平滑に形成され、安全で外観の優れたペット用サークルを提供することができる。
【発明を実施するための最良の形態】
【００１７】
以下、本発明の実施の形態について、図を参照して説明する。
【００１８】
図１には、本実施形態のペット用サークル１の全体が示されている。
【００１９】
このペット用サークル１は、正面・背面・左右の側面の４枚のパネル２（２ａ，２ｂ，２ｃ，２ｄ）で囲まれた内部にペットを収容するものであって、各パネル２（２ａ，２ｂ，２ｃ，２ｄ）と、隣り合うパネル２同士を固定する固定棒（固定部材）６とを備えている。
【００２０】
各パネル２ａ，２ｂ，２ｃ，２ｄは、木製の上フレーム３と下フレーム４と、これら上フレーム３と下フレーム４との間に取り付けられる金属製の網状体５とから構成されている。
【００２１】
正面のパネル２ａには、ペットの出入り口となる扉Ａが開閉自在に取り付けられており、この扉Ａを閉めた状態で保持するロック部材Ｂが備えられている。
【００２２】
上フレーム３は、上フレーム本体３０と、この上フレーム本体３０の両端に設けられ隣り合うパネル２の上フレーム３を互いに連結する連結部３１とから構成され、下フレーム４は、下フレーム本体４０と、この下フレーム本体４０の両端に設けられ隣り合うパネル２の下フレームを互いに連結する連結部４１とから構成されている。
【００２３】
上フレーム本体３０、及び下フレーム本体４０は、断面が長方形状で角部が面取りされた角材からなっている。
【００２４】
上フレーム本体３０には、後述する網状体５の上側の突出部５５に対応する上嵌入部３ａが内側に設けられるとともに、下フレーム本体４０には、網状体５の下側の突出部５６に対応する下嵌入部４ａが設けられている（図３、図４参照）。
【００２５】
上フレーム３の連結部３１のうち、隣り合うパネル２において対応する一方の連結部３１は、上フレーム本体３０の上半部に連続する上半部連結部３１ａで構成され、他方の連結部３１は、上フレーム本体３０の下半部に連続する下半部連結部３１ｂで構成されており、互いに組み合わされて上フレーム本体３０と面一になるように図られている。
【００２６】
同様に、下フレーム４の連結部４１のうち、隣り合うパネル２において対応する一方の連結部４１は、下フレーム本体４０の上半部に連続する上半部連結部４１ａで構成され、他方の連結部４１は、上フレーム本体４０の下半部に連続する下半部連結部４１ｂで構成されており、互いに組み合わされて下フレーム本体４０と面一になるように図られている。
【００２７】
上フレーム３の上半部連結部３１ａ内には、後述する固定棒６の螺子溝６１と螺合する螺子溝が形成された固定棒係合部材７ａが嵌め込まれている。この固定棒係合部材７ａは、上半部連結部３１ａを貫通しないようになされている。
【００２８】
また、上フレーム３の下半部連結部３１ｂには、挿入孔３ｘが形成されており、固定棒６を挿入することができるようになされている（図４参照）。
【００２９】
下フレーム４の上半部連結部４１ａ及び下半部連結部４１ｂには、これらの連結部４１ａ，４１ｂを互いに組み合わせた状態で貫通する挿入孔４ｘが形成されており、固定棒６を挿入することができるようになされている（図２、図３参照）。
【００３０】
固定棒６は、パネル２の上下方向の長さよりも若干短い金属製の杆体であって、一端に螺子溝６１が形成されるとともに、他端にキャップ６２が取り付けられたものである。このキャップ６２は、下フレーム４の挿入孔４ｘの径よりも大径のフランジ部６２ａを有しており、下フレーム４の下端面で固定棒６が係止するように図られている（図３、図４参照）。
【００３１】
このように、隣り合うパネル２の上フレーム３と下フレーム４とが固定棒６を介して連結されているので、隣り合うパネル２の網状体５の隙間に固定棒６が配置される。したがって、ペット用サークル１を組み立てた状態で、図１に示すように、上フレーム３と下フレーム４の間に適当な間隔で縦棒が設けられ、外観上優れたものとなるとともに、ペットを収容する機能面でも優れたものとなる。
【００３２】
網状体５は、網状体本体５０と、この網状体本体５０の上下の端縁から上下方向に突き出る上下の突出部５５，５６とから構成されている。
【００３３】
網状体本体５０は、外枠５１内に複数本の縦棒５２と２本の横棒５３とを所定の間隔をあけて組み合わせたものである。
【００３４】
なお、縦棒５２と横５３の間隔や本数は上記したものに限定されるものではなく、適宜設定可能である。
【００３５】
網状体本体５０の左右の端部近傍には、網状体本体５０の縦棒５２よりも長い突出棒５４が上下方向に取り付けられており、網状体５の上下の端縁から上下方向に突き出る上下の突出部５５，５６がそれぞれ形成されるように構成されている。
【００３６】
また、突出部５５，５６の両先端には螺子溝が形成され、上側の突出部５５は、網状体本体５０の同一平面内において外側に直角に屈曲され、下側の突出部５６は、直線状とされている。
【００３７】
一方、上フレーム３の上半部連結部３１ａの下側の上フレーム本体３０端縁３１ｃ、及び下半部連結部３１ｂの上側の上フレーム本体３０端縁３１ｄには、上側の突出部５５の先端の螺子溝に螺合する螺子溝を有する係合部材７ｂを挿入する上挿入孔３ｙが、上嵌入部３ａと通じるように左右方向に形成されている（図３、図４参照）。
【００３８】
下フレーム本体４０の下端部には、下嵌入部４ａに嵌め込まれた下側の突出部５６の先端の螺子溝に螺合する螺子溝を有する係合部材７ｃを挿入する下挿入孔（図示省略）が下嵌入部４ａと通じるように上下方向に形成されている。
【００３９】
なお、網状体本体５０の縦棒５２よりも長い補強棒５７を網状体本体５０の上下方向の適当な位置に取り付けてもよい。この場合、上フレーム本体３０及び下フレーム本体４０に対応する孔を設けて突出棒５７を嵌め込むことにより、網状体５の取り付けを補強することができる。また、この補強棒５７は１本に限定されるものではなく、網状体５の大きさに合わせて適宜設定可能である。
【００４０】
次に、上記構成のペット用サークル１を組み立てる手順について説明する。
【００４１】
まず、網状体５の上下の突出部５５，５６を上フレーム３と下フレーム４の上嵌入部３ａ、下嵌入部４ａにそれぞれ嵌め込む。
【００４２】
上フレーム３においては、上挿入孔３ｙから係合部材７ｂを挿入して、上側の突出部５５先端の螺子溝に螺合して固定する。
【００４３】
また、下フレーム４においては、下挿入孔から係合部材７ｃを挿入して、下側の突出部５６先端の螺子溝に螺合して固定する。
【００４４】
この作業を正面、背面、左右の側面の４枚のパネル２ａ，２ｂ，２ｃ，２ｄに対応する網状体５ａ，５ｂ，５ｃ，５ｄに対して行い、各パネル２ａ，２ｂ，２ｃ，２ｄを組み立てる。
【００４５】
次いで、４枚のパネル２ａ，２ｂ，２ｃ，２ｄの隣り合う上フレーム３の上半部連結部３１ａと下半部連結３１ｂ、及び下フレーム４の上半部連結部４１ａと下半部連結４１ｂをそれぞれ組み合わせる。
【００４６】
そして、固定棒６を下フレーム４の挿入孔４ｘから上方向に挿入して、上フレーム３の上半部連結部３１ａに嵌め込まれた係合部材７ａの螺子溝と螺合して固定する。
【００４７】
以上の作業を４枚のパネル２ａ，２ｂ，２ｃ，２ｄについてすべて行うことにより、ペット用サークル１の組立てが完了する。
【００４８】
なお、上記４枚のパネル２ａ，２ｂ，２ｃ，２ｄで囲まれた内部に対応するトレーを用意して、設置してもよい。この場合、室内の床の汚れを気にする必要がなくなる。
【産業上の利用可能性】
【００４９】
本発明は、安全で外観の優れたペット用サークルに適用できる。
【図面の簡単な説明】
【００５０】
【図１】本発明に係るペット用サークルの全体を示す斜視図である。
【図２】図１のペット用サークルのパネルを分解して示す斜視図である。
【図３】図２のパネルの取り付けを示す斜視図である。
【図４】図２のパネルの連結を示す斜視図である。
【符号の説明】
【００５１】
１      ペット用サークル
２      パネル
３      上フレーム
３０    上フレーム本体
３１    上側の連結部
４      下フレーム
４０    下フレーム本体
４１    下側の連結部
５      網状体
５０    網状体本体
５５，５６  突出部
６      固定棒（固定部材）
【図１】
2007043905.tif 000003
【図２】
2007043905.tif 000004
【図３】
2007043905.tif 000005
【図４】
2007043905.tif 000006